(57)【要約】【課題】  ロール状に巻かれ開放端側から販売していくシート材の見栄えを従来よりもよくすることができ且つ前記シート材に関する情報を見やすく提示することができるロール付設治具を提供する。【解決手段】  湾曲癖が付与された薄板帯状材２と前記薄板帯状材の外周側の表示部３とを有し、ロール状に巻かれその開放端側から販売されていくシート材６の外周に巻回できるようにしており、前記表示部３にはシート材６に関する情報が表示されると共にシート材６に巻回した状態で前記情報が外部から視認できるようにした。ロール状に巻かれその開放端側から販売されていくシート材の外周に巻回することによりシート材の開放端が垂れることを防止できる。また、薄板帯状材の外周側の表示部にはシート材に関する情報が表示されると共にシート材に巻回した状態で前記情報が外部から視認できるようにしたので、シート材の特長や残ｍ数などの情報を体裁良く表示できる。【選択図】  図１
2005170574.tif 000002
【特許請求の範囲】
【請求項１】
湾曲癖が付与された薄板帯状材２と前記薄板帯状材の外周側の表示部３とを有し、ロール状に巻かれその開放端側から販売されていくシート材６の外周に巻回できるようにしており、前記表示部３にはシート材６に関する情報が表示されると共にシート材６に巻回した状態で前記情報が外部から視認できるようにしたことを特徴とするロール付設治具。
【請求項２】
前記表示部３にはシート材６に関する情報としてロール状に巻かれた残シート材６の外周径に対応する残りｍ数を表示するようにした請求項１記載のロール付設治具。
【請求項３】
前記薄板帯状材２は、長手方向に沿ってコンベックス状溝７を有する金属製板バネ材で形成され直状態を保持することができ、外圧が加わり前記コンベックス状溝７の一部が平らに変形するとコンベックス状溝全体が平らに変形して板バネ材の全体がリング状に湾曲変形し、逆にリング状に湾曲変形した板バネ材の両端を引き離して元の直状態に引き延ばすと再び長手方向に沿うコンベックス状溝７が再現して直状態に戻る性質を有すると共に、表示部３はコンベックス状溝７の凹溝の外側に配した請求項１又は２記載のロール付設治具。
【発明の詳細な説明】
【技術分野】
【０００１】
この発明は、シート材をロール状に巻いた状態で販売する際などに使用するロール付設治具に関するものである。
【背景技術】
【０００２】
従来より、例えばフッ素コートなどの特殊な処理がなされたシート材がテーブル・シートやカーテン生地などとして、ロール状に巻かれた状態で広く量販店その他で販売されている。店舗を訪れた来店者は、前記のロールから必要なｍ数だけシート材を引き出しカットして購入する。
【０００３】
前記のようなシート材について、その特長を来店者が把握し易いようにした発明を提案した（特許文献１参照）。この提案によると、特殊処理の内容をシート材自体から把握することができるという大きな利点がある。
【０００４】
ところで、このシート材は前記の通りロール状に巻かれた状態で販売されるのであるが、ロール状のシート材の開放端がロール巻きから垂れていると体裁が悪く見栄えがしないという問題があった。また図６に示すように、前記シート材51の残りｍ数が少なくなってくると、店員がロール52の側部に物差し53を当ててロール巻きの残シート材の厚みを測定し、この残シート分の厚みとシート材自体（１枚）の厚みとから残りｍ数を概算していたが、わざわざ物差し53を持ってきて厚みを計り、この測定値から残りｍ数を換算することはなかなか面倒な作業である。
【特許文献１】特開２００３―２４６８７５号公報（第３〜４頁、図１）
【発明の開示】
【発明が解決しようとする課題】
【０００５】
そこでこの発明は、ロール状に巻かれ開放端側から販売していくシート材の見栄えを従来よりもよくすることができ且つ前記シート材に関する情報を見やすく提示することができるロール付設治具を提供しようとするものである。
【課題を解決するための手段】
【０００６】
前記課題を解決するためこの発明では次のような技術的手段を講じている。
(１)この発明のロール付設治具は、湾曲癖が付与された薄板帯状材と前記薄板帯状材の外周側の表示部とを有し、ロール状に巻かれその開放端側から販売されていくシート材の外周に巻回できるようにしており、前記表示部にはシート材に関する情報が表示されると共にシート材に巻回した状態で前記情報が外部から視認できるようにしたことを特徴とする。
【０００７】
このロール付設治具によると、その薄板帯状材には湾曲癖（巻き癖）が付与されているので、ロール状に巻かれその開放端側から販売されていくシート材の外周に巻回することによりシート材の開放端が垂れることを防止することができる。
【０００８】
また、薄板帯状材の外周側の表示部にはシート材に関する情報が表示されると共にシート材に巻回した状態で前記情報が外部から視認できるようにしたので、シート材の特長や残ｍ数などの情報を体裁良く表示することができる。
【０００９】
(２) 前記表示部にはシート材に関する情報としてロール状に巻かれた残シート材の外周径に対応する残りｍ数を表示するようにしたこととしてもよい。
【００１０】
このように構成すると、従来のように残シート材の厚みをわざわざ物差しで測定して換算することなく、表示部に表示された数値を読み取るだけで残りｍ数（残り長さ）の概算値を容易に把握することができる。また、従来はシート材に薄い残数表示テープを一緒にロール状に巻き込むことがあったが、この残数表示テープの巻き込みが不要となるのでロールのフレア（残数表示テープの厚みに起因するロール表面の凹凸）を無くすことができ、また残数表示テープの材料コスト及び巻き込みに必要な作業コストを低減することができる。
【００１１】
(３) 前記薄板帯状材は、長手方向に沿ってコンベックス状（雨樋）溝を有する金属製板バネ材で形成され直状態を保持することができ、外圧が加わり前記コンベックス状溝の一部が平らに変形するとコンベックス状溝全体が平らに変形して板バネ材の全体がリング状に湾曲変形し、逆にリング状に湾曲変形した板バネ材の両端を引き離して元の直状態に引き延ばすと再び長手方向に沿うコンベックス状溝が再現して直状態に戻る性質を有すると共に、表示部はコンベックス状溝の凹溝の外側に配したこととしてもよい。
【００１２】
このように構成すると、作業時には直線状とした複数本を重ねて持ち歩き（携帯性や収納性が向上）、必要時にロールに押し付けてワンタッチで巻き付けることができる（利便性が向上）。すなわち、元々直線状とはなり得ない巻いた薄板帯状材を用い、ロールに巻き付ける際は巻いた状態から一旦引き伸ばし広げた状態に変形させてから巻き付ける場合と比較して作業性に優れる。
【発明の効果】
【００１３】
この発明は上述のような構成であり、次の効果を有する。
【００１４】
ロール状に巻かれその開放端側から販売されていくシート材の外周に巻回することによりシート材の開放端が垂れることを防止することができるので、ロール状に巻かれ開放端側から販売していくシートの見栄えを従来よりもよくすることができる。
【００１５】
また、シート材の特長や残ｍ数などの情報を体裁良く表示することができるので、前記シートに関する情報を見やすく提示することができるロール付設治具を提供することができる。
【発明を実施するための最良の形態】
【００１６】
以下、この発明の実施の形態を図面を参照して説明する。
（実施形態１）
図１に示すように、この実施形態のロール付設治具１は、湾曲癖（巻き癖）が付与された薄板帯状材２と、前記薄板帯状材２の外周側の表示部３とを有し、ロール４の芯棒５上にロール状に巻かれその開放端側から販売されていくシート材６の外周に巻回できるようにしている。このシート材６は、開放端側から必要長さをカットして切り売りしていく合成樹脂製のテーブルクロスである。
【００１７】
前記薄板帯状材２はリング状に丸まろうとする湾曲癖が予め付与されていて広げても丸まろうとする性質を有しており、その材質としてステンレススチールなどの金属やプラスチックを用いることができる。また前記表示部３として、帯状に裁断した柔軟な紙材を用いた。なお前記表示部３として紙材を用いることなく、薄板帯状材２自体に表示内容を直接プリントすることもできる。そして、前記薄板帯状材２と表示部３とは、透明なプラスチックフィルム製の袋（図示せず）内に重ねて挿入したが、袋を用いることなく両者を相互に直接貼り合わせてもよい。
【００１８】
前記表示部３にはシート材６すなわち商品たる合成樹脂製のテーブルクロスに関する情報が表示されると共に、シート材６に巻回した状態で前記情報が外部から視認できるようにしている。
【００１９】
前記表示部３のシート材６に関する情報として、具体的には「ボリューム感のある○×生地使用  ズレ防止加工！（図１の左側のロール付設治具１）」「ズレ防止加工！（図１の真ん中のロール付設治具１）」「熱に強い！ベタベタしない！インキが写らない！（図１の右側のロール付設治具１）」という内容を表示している。
【００２０】
次に、この実施形態のロール付設治具の使用状態を説明する。
【００２１】
このロール付設治具１によると、その薄板帯状材２には湾曲癖が付与されているので、ロール状に巻かれその開放端側から販売されていくシート材６の外周に巻回することによりシート材６の開放端が垂れることを防止することができ、ロール状に巻かれたシート材６の見栄えを従来よりもよくすることができるという利点がある。
【００２２】
また、薄板帯状材２の外周側の表示部３にはシート材６に関する情報が表示されると共にシート材６に巻回した状態で前記情報が外部から視認できるようにしたので、シート材６の特長などの情報を体裁良く表示することができ、前記シート材６に関する情報を見やすく提示することができるという利点がある。
【００２３】
（実施形態２）
実施形態２のロール付設治具１は、主に前記表示部３の内容の点で前記実施形態１と異なる。
【００２４】
図２乃至図４に示すように、この実施形態のロール付設治具１は、湾曲癖（巻き癖）が付与された薄板帯状材２と、前記薄板帯状材２の外周側の表示部３とを有し、ロール４の芯棒５上にロール状に巻かれその開放端側から販売されていくシート材６の外周に巻回できるようにしている。このシート材６は、開放端側から必要長さをカットして切り売りしていく合成樹脂製のテーブルクロスである。
【００２５】
前記薄板帯状材２はリング状に丸まろうとする湾曲癖が予め付与されていて広げても丸まろうとする性質を有しており（図２参照）、その材質としてステンレススチールなどの金属やプラスチックを用いることができる。また前記表示部３として、帯状に裁断した柔軟な紙材を用いた。なお前記表示部３として紙材を用いることなく、薄板帯状材２自体に表示内容を直接プリントすることもできる。そして、前記薄板帯状材２と表示部３とは、透明なプラスチックフィルム製の袋（図示せず）内に重ねて挿入したが、袋を用いることなく両者を相互に直接貼り合わせてもよい。
【００２６】
前記表示部３にはシート材６すなわち商品たる合成樹脂製のテーブルクロスに関する情報が表示されると共に、シート材６に巻回した状態で前記情報が外部から視認できるようにしている。
【００２７】
前記表示部３にはシート材１に関する情報として、ロール状に巻かれた残シート材６の外周径に対応する残りｍ数を表示するようにした。残りｍ数の表示の目盛りの幅は、ロール４の芯棒５の太さやシート材１の厚み、ロール巻きの強さなどによって変わってくる。図４に示す場合の残シート材６の残ｍ数の概算値は、ロール付設治具１の端部（Ｘ）と表示部３の数値の目盛りとから「約２８．５ｍ」であることが分かる。
【００２８】
次に、この実施形態のロール付設治具の使用状態を説明する。
【００２９】
このロール付設治具１によると、その薄板帯状材２には湾曲癖が付与されているので、ロール状に巻かれその開放端側から販売されていくシート材６の外周に巻回することによりシート材６の開放端が垂れることを防止することができ、ロール状に巻かれたシート材６の見栄えを従来よりもよくすることができるという利点がある。
【００３０】
また、薄板帯状材２の外周側の表示部３にはシート材６に関する情報が表示されると共にシート材６に巻回した状態で前記情報が外部から視認できるようにしたので、シート材６の残ｍ数などの情報を体裁良く表示することができ、前記シート材６に関する情報を見やすく提示することができるという利点がある。
【００３１】
さらに、従来のように残シート材６の厚みをわざわざ物差しで測定して換算することなく、表示部３に表示された数値を読み取るだけで残りｍ数（残り長さ）の概算値を容易に把握することができる。したがって、棚卸の際などに複数のシート材の残りｍ数（在庫分）の概略を調査していくのに非常に重宝するものである。また、従来はシート材に薄い残数表示テープを一緒にロール状に巻き込むことがあったが、この残数表示テープの巻き込みが不要となるのでロールのフレア（残数表示テープの厚みに起因するロール表面の凹凸）を無くすことができ、また残数表示テープの材料コスト及び巻き込みに必要な作業コストを低減することができる。
【００３２】
（実施形態３）
実施形態３のロール付設治具１は、主に薄板帯状材２の性状の点で実施形態２と異なる。
【００３３】
図５に示すように、この実施形態のロール付設治具１は、湾曲癖（巻き癖）が付与された薄板帯状材２と、前記薄板帯状材２の外周側の表示部３とを有し、ロール４（図３参照）の芯棒５（図３参照）上にロール状に巻かれその開放端側から販売されていくシート材６の外周に巻回できるようにしている。このシート材６は、開放端側から必要長さをカットして切り売りしていく合成樹脂製のテーブルクロスである。
【００３４】
前記薄板帯状材２は、長手方向に沿ってコンベックス状（雨樋状）溝７を有する金属製板バネ材で形成され直状態を保持することができ（図５の実線参照）、外圧が加わり前記コンベックス状溝７の一部が平らに変形するとコンベックス状溝全体が平らに変形して板バネ材の全体がリング状に湾曲変形し（図５の二点鎖線参照）、逆にリング状に湾曲変形した板バネ材の両端を引き離して元の直状態に引き延ばすと再び長手方向に沿うコンベックス状溝７が再現して直状態に戻る性質を有すると共に、表示部３はコンベックス状溝７の凹溝の外側に配している。
【００３５】
前記薄板帯状材２は、次のようにして形成することができる。
【００３６】
炭素工具鋼（ＪＩＳ−４４０１）の薄い板状の鋼材（ステンレス帯体）を巻いた状態で焼き入れをし、冷却すると板バネ（スプリング）材ができる。前記板バネ材を引き伸ばしていくとコンベックス状の反り（浮き上がり）が発生する。前記反り面とは反対の面にコンベックス状の反りを付けて薄い鋼材を真っ直ぐにすることにより、湾曲癖が付与され且つ直線状の状態ともなりえる薄板帯状材２を得ることができる。
【００３７】
前記表示部３として、帯状に裁断した柔軟な紙材を用いた。なお前記表示部３として紙材を用いることなく、薄板帯状材２自体に表示内容を直接プリントすることもできる。そして、前記薄板帯状材２と表示部３とは、透明なプラスチックフィルム製の袋（図示せず）内に重ねて挿入したが、袋を用いることなく両者を相互に直接貼り合わせてもよい。
【００３８】
前記表示部３にはシート材６すなわち商品たる合成樹脂製のテーブルクロスに関する情報が表示されると共に、シート材６に巻回した状態で前記情報が外部から視認できるようにしている。
【００３９】
前記表示部３にはシート材１に関する情報として、ロール状に巻かれた残シート材６の外周径に対応する残りｍ数を表示するようにした。前記表示部３のシート材６に関する情報として、具体的には「シート材残数」と「単位（ｍ）」の文字とシート材６の残りｍ数の目盛りの内容を表示している。残りｍ数の表示の目盛りの幅は、ロール４の芯棒５の太さやシート材１の厚み、ロール巻きの強さなどによって変わってくる。
【００４０】
次に、この実施形態のロール付設治具の使用状態を説明する。
【００４１】
このロール付設治具１によると、その薄板帯状材２には湾曲癖が付与されているので、ロール状に巻かれその開放端側から販売されていくシート材６の外周に巻回することによりシート材６の開放端が垂れることを防止することができ、ロール状に巻かれたシート材６の見栄えを従来よりもよくすることができるという利点がある。
【００４２】
また、薄板帯状材２の外周側の表示部３にはシート材６に関する情報が表示されると共にシート材６に巻回した状態で前記情報が外部から視認できるようにしたので、シート材６の残ｍ数などの情報を体裁良く表示することができ、前記シート材６に関する情報を見やすく提示することができるという利点がある。
【００４３】
さらに、従来のように残シート材６の厚みをわざわざ物差しで測定して換算することなく、表示部３に表示された数値を読み取るだけで残りｍ数（残り長さ）の概算値を容易に把握することができる。したがって、棚卸の際などに複数のシート材の残りｍ数（在庫分）の概略を調査していくのに非常に重宝するものである。また、従来はシート材に薄い残数表示テープを一緒にロール状に巻き込むことがあったが、この残数表示テープの巻き込みが不要となるのでロールのフレア（残数表示テープの厚みに起因するロール表面の凹凸）を無くすことができ、また残数表示テープの材料コスト及び巻き込みに必要な作業コストを低減することができる。
【００４４】
そのうえ、作業時には直線状とした複数本を重ねて持ち歩き（携帯性や収納性が向上）、必要時にロール４に押し付けてワンタッチで巻き付けることができる（利便性が向上）。すなわち、元々直線状とはなり得ない巻いた薄板帯状材２（実施形態１，２参照）を用いロール４に巻き付ける際は巻いた状態から一旦引き伸ばし広げた状態に変形させてから巻き付ける場合と比較して作業性に優れるという利点がある。
【産業上の利用可能性】
【００４５】
ロール状に巻かれ開放端側から販売していくシート材の見栄えを従来よりもよくすることができ且つ前記シート材に関する情報を見やすく提示することができ、ロールに巻き付ける種々の用途にも適用することができる。
【図面の簡単な説明】
【００４６】
【図１】この発明のロール付設治具の実施形態１の使用状態を説明する斜視図。
【図２】この発明のロール付設治具の実施形態２を説明する斜視図。
【図３】図２のロール付設治具の使用状態を説明する斜視図。
【図４】図２のロール付設治具の使用方法を説明する一部破断斜視図。
【図５】この発明のロール付設治具の実施形態３の使用状態を説明する一部破断斜視図。
【図６】ロール状に巻いたシート材の残りｍ数を把握する従来の状況を説明する斜視図。
【符号の説明】
【００４７】
２  薄板帯状材
３  表示部
６  シート材
７  コンベックス状溝
【図１】
2005170574.tif 000003
【図２】
2005170574.tif 000004
【図３】
2005170574.tif 000005
【図４】
2005170574.tif 000006
【図５】
2005170574.tif 000007
【図６】
2005170574.tif 000008